(57)【要約】【課題】  制御負担とデータ量を抑えつつ、変化に富んだ変動表示が可能な遊技機を提供する。【解決手段】画像ＲＯＭに、複数種類の特別図柄のそれぞれを、複数の表示態様で表示する画像データを、図柄の配列と変化の態様とで特定可能に画像ＲＯＭに格納する。ＣＰＵは、制御ＲＯＭに格納された表示制御情報により、画像表示装置上の特別図柄を表示するための表示領域の大きさを特定し、前記表示画像上での表示領域の移動速度と移動方向とを指定し、これらから表示対象の画像Ｅ１，Ｅ２，Ｅ３．．．．を特定して、ＶＤＰに処理コマンドを発行する。ＶＤＰは、ＣＰＵにより指示された特別図柄の指示さえた態様を有する画像データを画像ＲＯＭから読み出し、必要に応じて加工処理を施し、画像表示装置に表示する。これにより、特別図柄の変動・静止表示と、特別図柄のアニメーション表示とが小さい制御負担で可能となる。【選択図】  図１１
2005143915.tif 000002
【特許請求の範囲】
【請求項１】
所定の変動開始条件の成立により、各々が識別可能な複数種類の識別情報の変動を画像表示装置に表示する変動表示制御手段を備え、前記識別情報の変動表示が特定表示結果となったときに、遊技状態を遊技者に有利な特定遊技状態に制御する遊技機であって、
前記複数種類の識別情報のそれぞれを、複数の表示態様で表示するための画像データを記憶する画像データ記憶手段と、
前記画像データ記憶手段に記憶された前記識別情報の種類と配列を特定するための識別情報配列特定情報と、各識別情報の画像の変化と変化の順番を特定するための画像変化特定情報と、を記憶する配列・変化特定データ記憶手段と、
前記画像表示装置上の識別情報の変動速度と、該識別情報の配列に関する変動方向とを指定する変動速度方向指定手段と、
前記画像表示装置上で、識別情報を表示するための表示領域の大きさを特定する表示領域特定手段と、
前記変動速度方向指定手段により指定された変動速度と変動方向と、前記配列・変化特定データ記憶手段に記憶されている前記識別情報配列特定情報により特定される識別情報の配列とに従って、表示対象の識別情報の配列情報を特定し、特定した配列情報と前記配列・変化特定データ記憶手段に記憶されている前記画像変化特定情報とに基づいて、前記表示領域特定手段により特定された大きさの表示領域内の表示対象の画像データを特定する画像データ特定手段と、
を備え、
前記変動制御手段は、前記識別情報の変動表示の開始から変動の停止までの間、前記画像データ特定手段によって特定された識別情報の画像の画像データを前記画像データ記憶手段から読み出し、読み出した画像データと前記表示領域指定手段により指定された表示領域の大きさに基づいて、表示する画像を生成し、前記画像表示装置に表示する処理を繰り返す表示制御手段を備える、
ことを特徴とする遊技機。
【請求項２】
前記画像データ特定手段は計時手段を備え、前記計時手段が所定時間を計時する度に、前記配列・変化特定データ記憶手段に記憶された前記画像変化特定情報に従って異なる表示態様で識別情報を表示するための画像データを指定する、ことを特徴とする請求項１に記載の遊技機。
【請求項３】
前記識別情報は、特定表示結果となったときに遊技者に付与する遊技価値が異なる価値情報を含み、
前記画像データ記憶手段は、付与する遊技価値に応じた表示態様の異なる識別情報の画像データを記憶しており、
前記画像データ特定手段は、付与する遊技価値に対応する画像データを特定する、
ことを特徴とする請求項１又は２に記載の遊技機。
【請求項４】
前記識別情報の変動表示は、所定の演出のための演出変動表示状態と該演出変動表示状態の少なくとも前に実行される通常変動表示状態とを含み、
前記画像データ記憶手段は、通常変動表示状態時に使用する第１の識別情報画像データと演出変動表示状態時に使用する第２の識別情報画像データとを記憶しており、
前記画像データ特定手段は、演出を行う契機となったことに基づいて、前記第１の識別情報画像データから前記第２の識別情報画像データに特定する画像データを切り替える手段を備える、
ことを特徴とする請求項１、２又は３に記載の遊技機。
【請求項５】
前記画像表示装置に表示する識別情報のサイズを特定するためのサイズ指定手段をさらに備え、
前記表示制御手段は、前記画像データ記憶手段から読み出した画像データを、前記サイズ指定手段が指定するサイズに基づいて、サイズ変更した画像を生成し、該画像を前記表示領域指定手段により指定された表示領域の大きさに基づいてクリッピングして、表示画像の画像データを生成し、前記画像表示装置に表示する、ことを特徴とする請求項１乃至４のいずれか１項に記載の遊技機。
【請求項６】
コンピュータを、所定の変動開始条件の成立により、各々が識別可能な複数種類の識別情報の変動を画像表示装置に表示する変動表示制御手段を備え、前記識別情報の変動表示が特定表示結果となったときに、遊技状態を遊技者に有利な特定遊技状態に制御する遊技機として機能させるためのコンピュータプログラムであって、
コンピュータを、
前記複数種類の識別情報のそれぞれを、複数の表示態様で表示するための画像データを記憶する画像データ記憶手段、
前記画像データ記憶手段に記憶された前記識別情報の種類と配列を特定するための識別情報配列特定情報と、各識別情報の画像の変化と変化の順番を特定するための画像変化特定情報と、を記憶する配列・変化特定データ記憶手段、
前記画像表示装置上の識別情報の変動速度と、該識別情報の配列に関する変動方向とを指定する変動速度方向指定手段、
前記画像表示装置上で、識別情報を表示するための表示領域の大きさを特定する表示領域特定手段と、
前記変動速度方向指定手段により指定された変動速度と変動方向と、前記配列・変化特定データ記憶手段に記憶されている前記識別情報配列特定情報により特定される識別情報の配列とに従って、表示対象の識別情報の配列情報を特定し、特定した配列情報と前記配列・変化特定データ記憶手段に記憶されている前記画像変化特定情報とに基づいて、前記表示領域特定手段により特定された大きさの表示領域内の表示対象の画像データを特定する画像データ特定手段、
として機能させ、
さらに、前記変動制御手段が、前記識別情報の変動表示の開始から変動の停止までの間、前前記画像データ特定手段によって特定された識別情報の画像の画像データを前記画像データ記憶手段から読み出し、読み出した画像データと前記表示領域指定手段により指定された表示領域の大きさに基づいて、表示する画像を生成し、前記画像表示装置に表示する処理を繰り返す表示制御手段を備えるように機能させる、
コンピュータプログラム。
【発明の詳細な説明】
【技術分野】
【０００１】
本発明は、パチンコ遊技機、スロットマシン、アーケードゲーム装置、家庭用ゲーム装置等を含む遊技機に関し、特に、識別情報の変動表示を用いて遊技を行う遊技機に関する。
【背景技術】
【０００２】
パチンコ遊技機等の遊技機においては、液晶表示装置（以下ＬＣＤ：Ｌｉｑｕｉｄ  Ｃｒｙｓｔａｌ  Ｄｉｓｐｌａｙ）等の表示装置上に所定の識別情報（以下、表示図柄）を更新表示させることで変動表示を行い、その表示結果により所定の遊技価値を付与するか否かを決定する、いわゆる可変表示ゲームによって遊技興趣を高めたものが数多く提供されている。
【０００３】
可変表示ゲームには、前述した表示装置を画像表示装置として用いることにより行うもの（以下、特図ゲーム）がある。特図ゲームは、始動入賞口を通過する遊技球の検出（変動実行条件の成立）に伴って表示図柄の更新表示を行い、表示図柄の更新表示が完全に停止した際の停止図柄の態様が特定表示態様となっている場合を「大当り」とするゲームである。特図ゲームにおいて「大当り」となると、大入賞口またはアタッカと呼ばれる特別電動役物を開放状態とし、遊技者に対して遊技球の入賞が極めて容易となる状態を一定時間継続的に提供する。この状態を「特定遊技状態」という。
【０００４】
遊技者は、この特定遊技状態を得ることを目標として遊技を行う。従って、遊技者の注目は、識別情報の変動表示とその変動結果の表示に集中することになる。
【０００５】
この識別情報の変動表示及び変動結果の表示を変化に富んだものとして興趣性を高め、さらに、表示処理の効率化を図るため、様々な提案がなされている。
【０００６】
例えば、特許文献１は、図柄変動領域に表示する図柄の種類、大きさ、位置、向きを指定して図柄を表示させることにより、図柄を変動表示させることを開示する。
【特許文献１】特開２００３−２１６９６３号公報
【発明の開示】
【発明が解決しようとする課題】
【０００７】
従来は、図柄配列の種類や大きさなどを指定することにより図柄の変動を制御する。このため、図柄の大きさや向きが変わる程度の表示上の変化が与えられる程度であり、興趣性に乏しいものであった。
【０００８】
また、表示図柄の変化を大きなものとするため、図柄配列と変動パターン毎に画像データを記憶することも考えられるが、表示態様の異なる画像データ（アニメ表示用の画像データ）を図柄配列と変動パターン毎に記憶するとデータ量が大きくなり、制御も複雑になるという問題が発生する。
【０００９】
この発明は、上記実情に鑑みてなされたものであり、制御負担とデータ量を抑えつつ、変化に富んだ変動表示が可能な遊技機を提供することを目的とする。
【課題を解決するための手段】
【００１０】
上記目的を達成するため、この発明の第１の観点に係る遊技機は、
所定の変動開始条件の成立により、各々が識別可能な複数種類の識別情報の変動を画像表示装置に表示する変動表示制御手段（主基板１１及び表示制御基板１２）を備え、前記識別情報の変動表示が特定表示結果となったときに、遊技状態を遊技者に有利な特定遊技状態に制御する遊技機であって、
前記複数種類の識別情報のそれぞれを、複数の表示態様で表示するための画像データ（絵のデータ）を記憶する画像データ記憶手段（画像ＲＯＭ１３７）と、
前記画像データ記憶手段に記憶された前記識別情報の種類と配列を特定するための識別情報配列特定情報（特別図柄の番号０〜９）と、各識別情報の画像の変化と変化の順番を特定するための画像変化特定情報（横方向の１〜５）と、を記憶する配列・変化特定データ記憶手段（制御ＲＯＭ１３４）と、
前記画像表示装置上の識別情報の変動速度と、該識別情報の配列に関する変動方向とを指定する変動速度方向指定手段（ＣＰＵ１３３と表示制御データを格納している制御ＲＯＭ１３４）と、
前記画像表示装置上で、識別情報を表示するための表示領域の大きさ（サイズ）を特定する表示領域特定手段（ＣＰＵ１３３と制御ＲＯＭ１３４）と、
前記変動速度方向指定手段により指定された変動速度と変動方向と、前記配列・変化特定データ記憶手段に記憶されている前記識別情報配列特定情報により特定される識別情報の配列とに従って、表示対象の識別情報の配列情報を特定し、特定した配列情報と前記配列・変化特定データ記憶手段に記憶されている前記画像変化特定情報とに基づいて、前記表示領域特定手段により特定された大きさの表示領域内の表示対象の画像データを特定する画像データ特定手段（ＣＰＵ１３３と表示制御データを格納している制御ＲＯＭ１３４）と、
前記変動制御手段は、前記識別情報の変動表示の開始から変動の停止までの間、前記画像データ特定手段によって特定された識別情報の画像の画像データを前記画像データ記憶手段から読み出し、読み出した画像データと前記表示領域指定手段により指定された表示領域の大きさに基づいて、表示する画像を生成し、前記画像表示装置に表示する処理を繰り返す表示制御手段（ＶＤＰ１３６）、
を備えることを特徴とする。
【００１１】
また、請求項２に記載の遊技機においては、前記画像データ特定手段は計時手段（例えば、発振回路１３１とＣＰＵ１３３）を備え、前記計時手段が所定時間（例えば、３０ｍｓ）を計時する度に、前記配列・変化特定データ記憶手段に記憶された前記画像変化特定情報前記画像変化特定情報に従って異なる表示態様で識別情報を表示するための画像データを指定する、ことを特徴とする。
【００１２】
また、請求項３に記載の遊技機は、前記識別情報は、特定表示結果となったときに遊技者に付与する遊技価値（例えば、確率変動、時短）が異なる価値情報を含み、前記画像データ記憶手段は、付与する遊技価値に応じた表示態様の異なる識別情報の画像データを記憶しており、前記画像データ特定手段（ＣＰＵ１３３）は、付与する遊技価値に対応する画像データを特定する、ことを特徴とする。
【００１３】
さらに、請求項４に記載の遊技機は、前記識別情報の変動表示は、前記識別情報の変動表示は、所定の演出（例えば、リーチ演出、大当り演出など）のための演出変動表示状態と該演出変動表示状態の少なくとも前に実行される通常変動表示状態とを含み、前記画像データ記憶手段（画像ＲＯＭ１３７）は、通常変動表示状態時に使用する第１の識別情報画像データと演出変動表示状態時に使用する第２の識別情報画像データとを記憶しており、前記画像データ特定手段（例えば、ＣＰＵ１３３）は、演出を行う契機となったことに基づいて、前記第１の識別情報画像データから前記第２の識別情報画像データに特定する画像データを切り替える手段を備える、ことを特徴とする。
【００１４】
さらに、請求項５に記載の遊技機は、前記画像表示装置に表示する識別情報のサイズを特定するためのサイズ指定手段（例えば、ＣＰＵ１３３と表示制御データを記憶した制御ＲＯＭ１３４）をさらに備え、前記表示制御手段（ＶＤＰ１３９）は、前記画像データ記憶手段から読み出した画像データを、前記サイズ指定手段が指定するサイズに基づいて、サイズ変更した画像を生成し、該画像を前記表示領域指定手段により指定された表示領域領域の大きさに基づいてクリッピングして、表示画像の画像データを生成し、前記画像表示装置に表示する、ことを特徴とする。ことを特徴とする。
【００１５】
また、上記目的を達成するため、この発明の第２の観点に係るコンピュータプログラムは、コンピュータを、所定の変動開始条件の成立により、各々が識別可能な複数種類の識別情報の変動を画像表示装置に表示する変動表示制御手段を備え、前記識別情報の変動表示が特定表示結果となったときに、遊技状態を遊技者に有利な特定遊技状態に制御する遊技機として機能させるためのコンピュータプログラムであって、
コンピュータを、
前記複数種類の識別情報のそれぞれを、複数の表示態様で表示するための画像データ（絵のデータ）を記憶する画像データ記憶手段（画像ＲＯＭ１３７）、
前記画像データ記憶手段に記憶された前記識別情報の種類と配列を特定するための識別情報配列特定情報（特別図柄の番号０〜９）と、各識別情報の画像の変化と変化の順番を特定するための画像変化特定情報（横方向の１〜５）と、を記憶する配列・変化特定データ記憶手段（制御ＲＯＭ１３４）、
前記画像表示装置上の識別情報の変動速度と、該識別情報の配列に関する変動方向とを指定する変動速度方向指定手段（ＣＰＵ１３３と表示制御データを格納している制御ＲＯＭ１３４）、
前記画像表示装置上で、識別情報を表示するための表示領域の大きさ（サイズ）を特定する表示領域特定手段（ＣＰＵ１３３と制御ＲＯＭ１３４）と、
前記変動速度方向指定手段により指定された変動速度と変動方向と、前記配列・変化特定データ記憶手段に記憶されている前記前記変動速度方向指定手段により指定された変動速度と変動方向と、前記識別情報配列特定情報により特定される識別情報の配列とに従って、表示対象の識別情報の配列情報を特定し、特定した配列情報と前記画像変化特定情報とに基づいて、前記表示領域特定手段により特定された大きさの表示領域内の画像データを特定する画像データ特定手段（ＣＰＵ１３３と表示制御データを格納している制御ＲＯＭ１３４）、
として機能させ、
さらに、前記変動制御手段が、前記識別情報の変動表示の開始から変動の停止までの間、前記画像データ特定手段によって特定された識別情報の画像の画像データを前記画像データ記憶手段から読み出し、読み出した画像データと前記表示領域指定手段により指定された表示領域の大きさに基づいて、表示する画像を生成し、前記画像表示装置に表示する処理を繰り返す表示制御手段（ＶＤＰ１３６）、
として機能させる。
【発明の効果】
【００１６】
請求項１に記載の遊技機によれば、各識別情報について表示態様の異なる複数の画像の画像データが用意されており、画像データ特定手段により、識別情報が切り替えて特定されると共にさらに各識別情報について表示態様の異なる画像が特定されるので、変動表示をしながら、アニメーションのような任意に変化する表示が可能となる。また、識別情報と表示態様とを特定することで表示画像を順次特定できるので、表示制御が比較的簡単であり、制御負担も小さい。さらに、表示態様が異なる画像データを図柄配列と変動パターン毎に記憶する必要がなく、データ量を抑えることも可能である。
【００１７】
請求項２に記載の遊技機によれば、表示態様の変更を所定期間の計時することごとに行うので制御負担が小さい。また、識別情報の変動速度とは独立したタイミングで表示態様を更新することにより、変化に富んだ変動表示を行うことが可能となる。
【００１８】
請求項３に記載の遊技機によれば、特定遊技状態において与えられる遊技価値に応じて表示態様の異なる画像の画像データが各識別情報について格納されているので、与えられる遊技価値に応じた表示態様での表示が可能となる。
【００１９】
請求項４に記載の遊技機によれば、通常変動表示状態用と演出変動表示状態用の表示態様の異なる画像の画像データが各識別情報について格納されているので、表示状態（通常変動表示状態、演出変動表示状態）に応じた表示態様の異なる画像を表示することが可能となり、遊技の演出効果を向上する。
【００２０】
請求項５に記載の遊技機によれば、サイズ情報に基づいて表示画像のサイズを変更することが可能となり、より変化に富んだ表示が可能である。
【００２１】
請求項６に記載のコンピュータプログラムによれば、各識別情報について表示態様の異なる複数の画像の画像データが用意されており、画像データ特定手段により、識別情報が切り替えて特定されると共にさらに各識別情報について表示態様の異なる画像が特定されるので、変動表示をしながら、アニメーションのような任意に変化する表示が可能となる。また、識別情報と表示態様とを特定することで表示画像を順次特定できるので、表示制御が比較的簡単であり、制御負担も小さい。さらに、表示態様が異なる画像データを図柄配列と変動パターン毎に記憶する必要がなく、データ量を抑えることも可能である。
【発明を実施するための最良の形態】
【００２２】
以下、図面を参照しつつ、本発明の一実施形態を詳細に説明する。図１は、本実施例におけるパチンコ遊技機１の正面図であり、主要部材の配置レイアウトを示す。パチンコ遊技機（遊技機）１は、大別して、遊技盤面を構成する遊技盤（ゲージ盤）２と、遊技盤２を支持固定する遊技機用枠（台枠）３とから構成されている。遊技盤２にはガイドレールによって囲まれた、ほぼ円形状の遊技領域が形成されている。この遊技領域のほぼ中央位置には、変動表示装置４が設けられている。
【００２３】
変動表示装置４は、例えばＴＦＴ（Ｔｈｉｎ  Ｆｉｌｍ  Ｔｒａｎｓｉｓｔｏｒ）によるアクティブマトリクス型ＬＣＤや、ＦＥＤ（Ｆｉｅｌｄ  Ｅｍｉｓｓｉｏｎ  Ｄｉｓｐｌａｙ）、ＰＤＰ（Ｐｌａｓｍａ  Ｄｉｓｐｌａｙ  Ｐａｎｅｌ）、ＥＬ（Ｅｌｅｃｔｒｏ  Ｌｕｍｉｎｅｓｃｅｎｃｅ）、またはＣＲＴ（Ｃａｔｈｏｄｅ  Ｒａｙ  Ｔｕｂｅ）などを用いて構成される。普通可変入賞球装置６に遊技球が入賞することが実行条件となる変動表示ゲーム（特図ゲーム）において、変動表示装置４は、数字、文字、絵柄等から構成され、各々が識別可能な複数種類の識別情報として機能する特別図柄を、複数の表示領域にて変動表示可能に表示する。変動表示装置４により行われる特図ゲームでは、特別図柄の変動表示を開始した後、一定時間が経過すると、各表示領域における特別図柄の変動表示結果を所定の順序で導出表示し、確定図柄（最終停止図柄）を停止表示する。そして、確定図柄の組合せ（停止図柄態様）が所定の特定表示結果（大当り）となったときに、このパチンコ遊技機１は、特定遊技状態（大当り遊技状態）となる。この大当り遊技状態においては、特別可変入賞球装置７の開閉板が所定期間（例えば、２９秒）あるいは所定個数（例えば、１０個）の入賞球が発生するまでの期間において開成され、開成されている間は遊技盤２の表面を落下する遊技球を受け止め、その後に閉成する。そして、この開成サイクルを所定の上限回数（例えば、１６回）まで繰り返すことができる。
【００２４】
この実施の形態では、変動表示装置４における表示領域として、左、中、右の３つの表示領域が設けられ、各表示領域において、それぞれ８種類の表示図柄「０」〜「７」が特別図柄として変動表示可能に表示されるものとする。例えば、左、中、右の各表示領域では、特図ゲーム中に特別図柄の変動が開始されると、図柄が示す番号の小さいものから大きいものへと更新表示やスクロール表示が行われ、特別図柄「７」が表示されると、次に特別図柄「０」が表示される。
【００２５】
変動表示装置４による特図ゲームにおいて、特別図柄の変動表示を開始した後、左、中、右の各表示領域にて同一の特別図柄が表示結果として導出表示されて確定したときには、パチンコ遊技機１は、大当り遊技状態となる。ここで、この実施の形態では、奇数を示す特別図柄「１」、「３」、「５」、「７」を確変大当り図柄とし、特図ゲームにおける変動表示結果として左、中、右の各表示領域にて同一の確変大当り図柄が揃って導出表示されて確定したときは、所定の特別表示結果としての確変大当りとなる。確変大当りとなったときには、その確変大当りに基づく大当り遊技状態が終了した後、特別遊技状態の一例として、確率変動制御（確変制御）が行われる高確率状態となる。確変制御が行われる高確率状態において、特図ゲームにおける変動表示結果が大当りとなって大当り遊技状態に制御される確率は、通常遊技状態よりも向上する。なお、通常遊技状態とは、大当り遊技状態や高確率状態以外の遊技状態のことであり、特図ゲームにおける変動表示結果が大当りとなる確率は、電源投入直後などの初期設定状態と同一に制御されている。ここで、大当り遊技状態が終了した後に高確率状態などの特別遊技状態に制御されてもよいし、特図ゲームで確変大当りとなったことに基づいて直ちに特別遊技状態に制御されてもよい。
【００２６】
また、この実施の形態では、偶数を示す特別図柄「０」、「２」、「４」、「６」を通常大当り図柄とし、特図ゲームにおける変動表示結果として左、中、右の各表示領域にて同一の通常大当り図柄が揃って導出表示され確定したときには通常大当りとなる。この通常大当りとなったときには、大当り遊技状態が終了した後に確変制御が行われないため、特図ゲームにおける変動表示結果が大当りとなって大当り遊技状態に制御される確率は向上しない。
【００２７】
この実施の形態では、特図ゲームにおける変動表示結果が確変大当りとなったときには、その確変大当りに基づく大当り遊技状態が終了した後、次の大当りが通常大当りとなるまで、継続して確変制御が行われる高確率状態となるものとする。なお、高確率状態にて実行される特図ゲームで大当りとなるときには一旦高確率状態が終了し、その大当りが確変大当りであるときには、再び高確率状態に制御されるものであってもよい。
【００２８】
変動表示装置４の下側には、普通可変入賞球装置（始動入賞口）６が配置されている。普通可変入賞球装置６の下側には、特別可変入賞球装置（大入賞口）７が配置されている。特別可変入賞球装置７は、普通可変入賞球装置６への入賞タイミングに基づいて特図ゲームが行われた結果、大当りとなった場合に前面に設けられた開閉板の開成動作を行う。また、遊技機用枠３の左右上部位置には、効果音等を再生出力するためのスピーカ８Ｌ、８Ｒが設けられており、さらに遊技領域周辺部には、遊技効果ランプ９が設けられている。
【００２９】
パチンコ遊技機１には、図２に示すような主基板１１と、表示制御基板１２とが搭載されている。主基板１１と表示制御基板１２は、パチンコ遊技機１の背面の適所に配置され、両基板の間は信号線により接続されている。なお、パチンコ遊技機１の背面には、電源基板や音声制御基板、ランプ制御基板、払出制御基板、情報端子基板などといった、各種の制御基板も配置されている。
【００３０】
主基板１１には、普通可変入賞球装置６や特別可変入賞球装置７、その他の入賞口への遊技球の入賞等を検出するための各入賞口スイッチ７０からの配線も接続されている。
【００３１】
主基板１１は、メイン側の制御基板であり、パチンコ遊技機１における遊技の進行を制御するための各種回路が搭載されている。主基板１１は、特図ゲームにおいて用いる乱数の生成機能、所定位置に配設されたスイッチ等からの信号の入力を行う機能、表示制御基板１２や音声制御基板、ランプ制御基板、払出制御基板などからなるサブ側の制御基板に制御コマンドを出力・送信する機能などを備えている。
【００３２】
主基板１１は、表示制御基板１２に対して、表示制御コマンドを送出し、その表示を制御する。この表示制御コマンドとしては、例えば、変動開始コマンド、特別図柄指定コマンド、特別図柄確定コマンドなどが、予め用意されている。
【００３３】
変動開始コマンドは、変動表示装置４における特別図柄の変動表示を開始する旨を指示するためのコマンドであり、表示制御基板１２は、変動開始コマンドに対応して、特別図柄の総変動時間や、変動表示結果が大当りとなるか否かの判定結果、リーチとするか否かの判定結果などを特定する。特別図柄指定コマンドは、変動表示装置４に設けられた左、中、右の各表示領域にて、特図ゲームの実行中に停止表示される確定図柄等の特別図柄を指定するためのコマンドである。特別図柄確定コマンドは、特別図柄の変動表示の終了を指示するコマンドである。
【００３４】
主基板１１は、例えば、遊技制御用マイクロコンピュータ（マイコン）１００、スイッチ回路１０７などを備える。遊技制御用マイコン１００は、例えば１チップマイコンであり、ゲーム制御用のプログラム等を記憶するＲＯＭ（Ｒｅａｄ  Ｏｎｌｙ  Ｍｅｍｏｒｙ）１０１、ワークメモリとして使用されるＲＡＭ（Ｒａｎｄｏｍ  Ａｃｃｅｓｓ  Ｍｅｍｏｒｙ）１０２、プログラムに従って制御動作を行うＣＰＵ（Ｃｅｎｔｒａｌ  Ｐｒｏｃｅｓｓｉｎｇ  Ｕｎｉｔ）１０３、乱数回路１０４及びＩ／Ｏ（Ｉｎｐｕｔ／Ｏｕｔｐｕｔ）ポート１０５を含んでいる。スイッチ回路１０７は、各入賞口スイッチ７０からの検出信号を取り込んで、遊技制御用マイコン１００に伝送する。
【００３５】
乱数回路１０４は、ＣＰＵ１０３の制御下に、遊技の進行を制御するために各種の乱数をカウントする。具体的な一例として、乱数回路１０４は、ＣＰＵ１０３の設定・制御に従って、大当り判定用乱数や確変判定用乱数、リーチ判定用乱数、確定図柄決定用乱数、変動パターン決定用乱数などとして用いられる数値データをカウント可能に制御する。大当り判定用乱数は、大当りを発生させてパチンコ遊技機１を大当り遊技状態とするか否かを決定するために用いられる判定用の乱数である。確変判定用乱数は、大当りとなる確率を向上させる高確率状態とするか否かを決定するために用いられる乱数である。確定図柄決定用乱数は、特図ゲームにおける特別図柄の確定図柄を決定するために用いられる表示用の乱数である。変動パターン決定用乱数は、特別図柄の変動パターンを決定するために用いられる表示用の乱数である。
【００３６】
リーチ判定用乱数は、特図ゲームにおける変動表示結果をハズレとするときに特別図柄の変動表示態様をリーチ表示態様とするか否かを決定するために用いられる表示用の乱数である。ここで、リーチ表示態様とは、導出表示した図柄が大当り図柄の一部を構成しているときに未だ導出表示していない図柄（リーチ変動図柄という）については変動表示が行われている表示態様、あるいは、全て又は一部の図柄が大当り図柄の全て又は一部を構成しながら同期して変動表示している表示態様のことである。具体的には、予め定められた複数の表示領域に、予め定められた図柄が停止することで大当りとなる有効ラインが定められ、その有効ライン上の一部の表示領域に予め定められた図柄が停止しているときに未だ停止していない有効ライン上の表示領域において変動表示が行われている表示態様（例えば、左、中、右の表示領域のうち左、中の表示領域には大当り図柄の一部となる（例えば「７」）が停止表示されている状態で右の表示領域は未だ変動表示が行われている表示態様）、あるいは、有効ライン上の表示領域の全て又は一部の図柄が大当り図柄の全て又は一部を構成しながら同期して変動表示している表示態様（例えば、左、中、右の表示領域の全てで変動表示が行われてどの状態が表示されても同一の図柄が揃っている態様で変動表示が行われている表示態様）である。
【００３７】
ＲＯＭ１０１は、図３（ａ）に示すように、遊技制御プログラム１１１、変動表示装置４による特図ゲームの変動表示結果を大当りとするか否かを判定するための大当り判定テーブル１１２，特図ゲームの識別情報の変動表示をリーチ変動とするか否かを判定するためのリーチ判定テーブル１１３、特図ゲームの変動パターンを判定するための変動パターン判定テーブル１１４、等を含む。
【００３８】
変動パターン判定テーブル１１４は、特図ゲームにおける特別図柄の複数の変動パターンを特定する情報を格納する。
【００３９】
変動パターン判定テーブル１１４に登録されている変動パターンには、例えば、図１に示す変動表示装置４に表示する左・中・右の特別図柄（図１では、「７」）を変動表示させ、リーチ演出を行わずに、最終図柄を導出する変動パターン、通常のリーチ演出（例えば、左図柄と右図柄が同一）を行って最終図柄（当り又はハズレ）を導出するリーチ変動パターン等の基本的な変動パターンと共に図４（ａ）〜（ｃ）に例示するような、特徴的なリーチ演出を行って最終図柄を導出するリーチ変動パターンが含まれている。
【００４０】
例えば、図４（ａ）の変動表示パターンＫの例は、左・右・中の各図柄が変動を開始した後、左図柄と右図柄とが、特別図柄３つ分のサイズを有する左図柄用表示領域ＤＬと右図柄用表示領域ＤＲに縦方向に３つずつ表示された状態で停止し、リーチライン上の図柄が揃ってリーチ状態が成立し（図では、左図柄の再上位の図柄「７」と右図柄の再下位の図柄「７」とが斜め方向のリーチライン上に揃った状態）、その後、中図柄は、表示領域ＤＣ内で縦方向に３つずつ表示されながら変動して、最終的に大当り又はハズレが定まるというものである。
【００４１】
また、例えば、図４（ｂ）の変動表示パターンＬの例は、左・右・中の各図柄が変動を開始した後、特別図柄３つ分のサイズを有する左図柄と右図柄とが左図柄用表示領域ＤＬと右図柄用表示領域ＤＲに縦方向に３つずつ表示された状態で停止し、斜め方向のリーチライン上の図柄が揃ってリーチ状態が成立し（図では、左図柄の再上位の図柄「７」と右図柄の再下位の図柄「７」とが揃った状態）、その後、特別図柄１つ分のサイズを有する中図柄用表示領域ＤＣに中図柄が１つだけ表示されながら変動して、最終的に大当り又はハズレが定まるというものである。
【００４２】
更に、図４（ｃ）の変動表示パターンＭの例は、左・右・中の各図柄が変動を開始した後、特別図柄３つ分のサイズを有する左図柄と右図柄とが左図柄用表示領域ＤＬと右図柄用表示領域ＤＲに縦方向に３つずつ表示された状態で停止し、斜め方向のリーチライン上の図柄が揃ってリーチ状態が成立し（図では、左図柄の再上位の図柄「７」と右図柄の再下位の図柄「７」とが揃った状態）、その後、特別図柄６．５個のサイズを有する中図柄用表示領域ＤＣ内で中図柄が横方向の左から右に変動して、最終的に大当り又はハズレが定まるというものである。
【００４３】
なお、興趣を高めるため、例示した以外にも、様々な変動表示パターンが用意されている。
【００４４】
特別図柄はその変動表示中、その図柄自体が変化すると共に図５に例示するように、同一の特別図柄（数字）であっても時間の経過と共に徐々に図柄の模様が徐々に変化してアニメーションのように変化するように表示される。
【００４５】
また、特別図柄は、大当りとなるときに大当り終了後に与える遊技価値（確率変動状態と時短状態）の差に応じて、表示態様（模様）が異なって構成されている。図５の例では、（ａ）に示す「８」は、特別図柄が「８」で揃うと時短状態が得られ普通図柄である。これに対し、（ｂ）に示す「７」は、特別図柄が「７」で揃うと確変状態が得られる特別図柄である。この差に応じて、各特別図柄の表示態様（模様）とその表示態様の変化により表現されるアニメーションは互いに異なったものとなっている。
【００４６】
図４（ｂ）に示す変動表示パターンＬに関しては、図６に示すように、ある図柄が表示された後、その図柄が徐々に透明になり、次の図柄が高い透明度で現れて、徐々に透明度が低くなり、．．．というように、２つの特別図柄が透明度を変化させながら重なって表示されるという表示を繰り返す。即ち、この場合には、表示領域は１特別図柄分であるが、２つの特別図柄を順次交換しながら表示することになる。
【００４７】
また、図４（ｃ）の変動パターンＭにおいてリーチ状態成立後、中図柄が実行する横スクロールに関しては、図７に示すように、表示領域内の位置に応じて特別図柄の透明度が異なっている。なお、図４（ｃ）と図７とでは、横スクロールの特別図柄の数が異なるが、図７は各特別図柄の透明度の分布を説明するための参考図である。
【００４８】
図２のＲＡＭ１０２は、図３（ｂ）に示すように、特図保留メモリ１２１、特図処理選択フラグ１２２、確変フラグ１２３、時短フラグ１２４、大当りフラグ１２５、特図変動時間タイマ１２６、等を格納する。
【００４９】
特図保留メモリ１２１は、現在実行中の特図ゲームに関する情報と、遊技球が普通可変入賞球装置６に入賞して特図ゲームを実行するための条件である実行条件（変動実行条件）が成立したが、従前の特図ゲームを実行中である等の理由のために変動を実際に開始するための開始条件（変動開始条件）が成立していない特図ゲームの保留情報を記憶するためのメモリである。
【００５０】
具体的には、特図保留メモリ１２１は、第１〜第４の４個のエントリを備え、保留状態にある特図ゲームの情報を記憶する。第１〜第４の各エントリには、普通可変入賞球装置６への入賞による変動実行条件の成立順に、その入賞により抽出された乱数値が格納される。
【００５１】
特図ゲームが１回終了すると、第２〜第４エントリに登録されている保留情報が１エントリずつ繰り上がり、新たに第１エントリに登録された保留情報について変動開始条件が成立する。また、遊技球が普通可変入賞球装置６に新たに入賞した場合には、その入賞による乱数値が最上位の空エントリに登録される。
【００５２】
特図処理選択フラグ１２２は、図１７を参照して後述する特別図柄プロセス処理（特図ゲームを制御する処理）において、どの処理を選択・実行すべきかを示すフラグである。
【００５３】
確変フラグ１２３は、パチンコ遊技機１の遊技状態が、確変状態（確率変動状態）に制御されているときに設定されるフラグである。確変状態は、特図ゲームにおいて大当りとなる確率が通常よりも高く設定されている状態である。
時短フラグ１２４は、パチンコ遊技機１の遊技状態が、時短状態に制御されているときに設定されるフラグである。時短状態は、特図ゲームにおける特別図柄の変動時間が通常よりも短く設定されている状態である。
確変状態及び時短状態は、通常の遊技状態よりも、遊技者に有利な遊技状態であり、変動時間の短い変動パターンが選択される。
【００５４】
大当りフラグ１２５は、パチンコ遊技機１の遊技状態が、大当り状態、即ち、特定遊技状態に制御されているときに設定されるフラグである。特定遊技状態は、特図ゲームにおいて確定された特別図柄の組み合せが所定の大当り組合せ（例えば、同一図柄のゾロ目）となったときに設定される。特定遊技状態においては、特別可変入賞球装置７が所定期間（例えば、２９秒）あるいは所定個数（例えば、１０個）の入賞玉が発生するまで開放され、開放している間、遊技盤２の表面を落下する遊技球を受け止める。そして、受け止めた遊技球が、特別可変入賞球装置７内に設けられた特定領域（図示しない）を通過すること（Ｖ入賞）を条件として、閉鎖後、再び開放し、この開放サイクルを最高１６回繰り返すことができる。
【００５５】
特図変動時間タイマ１２６は、特図ゲーム（変動表示装置上での特別図柄の変動）を開始してからの経過時間をカウントするためのカウンタである。
【００５６】
図２に示す表示制御基板１２は、主基板１１とは独立して特図ゲームにおける表示制御をコンピュータプログラムに従って行うものであり、主基板１１から送信される制御コマンドに基づいて、変動表示装置４の表示を制御する。
【００５７】
図８に示すように、表示制御基板１２は、発振回路１３１と、リセット回路１３２と、ＣＰＵ１３３と、制御ＲＯＭ１３４と、ＲＡＭ１３５と、ビデオディスプレイプロセッサ（以下、ＶＤＰ：Ｖｉｄｅｏ  Ｄｉｓｐｌａｙ  Ｐｒｏｃｅｓｓｏｒ）１３６と、画像ＲＯＭ１３７と、ＶＲＡＭ（Ｖｉｄｅｏ  ＲＡＭ）１３８と、ＬＣＤ駆動回路１３９とを備えている。
【００５８】
発振回路１３１は、ＣＰＵ１３３及びＶＤＰ１３６に基準クロック信号を出力するものである。ＣＰＵ１３３は、この基準クロック信号のパルス数をカウントすること等により、経過時間などを測定する。リセット回路１３２は、ＣＰＵ１３３及びＶＤＰ１３６をリセットするためのリセット信号を出力するものである。
【００５９】
ＣＰＵ１３３は、制御ＲＯＭ１３４と協働して、変動速度方向指定手段、表示領域設定手段、及び画像データ特定手段として機能する。具体的には、ＣＰＵ１３３は、制御ＲＯＭ１３４に格納されている動作プログラムを実行し、遊技制御用マイコン１００から表示制御コマンドを受信するとＲＡＭ１３５を作業領域として用いながら制御ＲＯＭ１３４から表示制御を行うための表示制御データを読み出す。ＣＰＵ１３３は、読み出した表示制御データに基づいてＶＤＰ１３６に描画命令を送る。
【００６０】
制御ＲＯＭ１３４は、配列・変化データ特定データ記憶手段として機能し、さらに、ＣＰＵ１３３と協働して、変動速度方向指定手段及び表示領域設定手段、及び画像データ特定手段として機能する。具体的には、制御ＲＯＭ１３４は、ＣＰＵ１３３によって利用される各種制御プログラム及び制御データ等を格納する半導体メモリであり、例えば、ＣＰＵ１３３が後述する表示制御動作を実行するための制御プログラムを格納する。制御ＲＯＭ１３４は、各変動パターンについて、どの特別図柄をどのタイミングでどのサイズで表示するかといった情報を格納している。この表示制御データの詳細については図１０を参照して後述する。
【００６１】
ＲＡＭ１３５は、ＣＰＵ１３３によって作業領域として利用される半導体メモリである。
【００６２】
ＶＤＰ１３６は、表示制御手段として機能するものであり、画像表示を行うための表示装置制御機能及び高速描画機能を有し、ＣＰＵ１３３からの描画命令に従って動作し、静止画および動画の変形（拡大縮小、トリミング）や合成などの処理を行う機能を有する。また、ＶＤＰ１３６は、圧縮されている動画データについては、伸長する機能を有する。
【００６３】
画像ＲＯＭ１３７は、画像データ記憶手段として機能するものであり、図４〜図７を参照して説明した様々な映像を変動表示装置４に表示するための画像データを格納するものであり、具体的には、図９に示すように、各特別図柄の種類と画像変化に応じた画像データが、特別図柄ごとに記憶されている。一つ特別図柄（例えば、０）の画像をパラパラ漫画のように切り替えて表示すると、あたかも０という数字の中で、例えば、炎が燃えさかっているような、雲が流れているような、水が流れているような、人間や動物が活動するような、任意の画像・模様がアニメーション表示される。そして、例えば、表示する画像の組み合わせや順番を変更することにより、アニメーションを変化させることができる。なお、各画像データが格納されている領域のアドレスを指定することにより、その画像データの特定と読み出しが可能である。
【００６４】
前述の制御ＲＯＭ１３４には、図９に示す各画像データを、特別図柄の種類と配列、アニメ画像表示（画像変化と変化順）により特定可能なデータ（インデックスデータ）が記憶されている（その詳細は後述する）。各特別図柄の画像は、特別図柄の番号とアニメ変動の番号とで、例えば、３−１（３：特別図柄の番号、１：アニメ変動の番号）といった形式で、特定可能である。
【００６５】
次に、制御ＲＯＭ１３４に格納される表示制御データについて説明する。
この表示制御データは、主基板１１から特定の表示パターンを指示する制御コマンドと変動時間が通知された際に、対応する変動表示を実行するためのものである。
【００６６】
表示制御データは、特図ゲームで表示制御される左図柄、右図柄、中図柄について、どのタイミングでどの画像（映像）データをどのように表示するかという情報を含む。
【００６７】
具体的には、制御ＲＯＭ１３４に記憶されている表示制御データは、表示領域特定手段が使用する変動表示装置４上の識別情報を表示するための表示領域の大きさを特定する情報、変動画像方向速度指定手段が使用する表示領域の移動速度と移動方向、画像データの拡大・縮小率、透明度、等の情報を含む。
【００６８】
表示領域の大きさを特定する情報とは、変動表示装置４の表示画面のうち、左図柄、右図柄、中図柄をそれぞれ表示する部分（図５〜図７のＤＬ，ＤＲ，ＤＣ）のサイズを示す情報であり、例えば、図５の左・右・中図柄用の表示領域ＤＬ，ＤＲ，ＤＣであれば、特別図柄３つ分のサイズ、図６の左・右図柄用の表示領域ＤＬ，ＤＲであれば、特別図柄３つ分のサイズ、中図柄用の表示領域ＤＣであれば、特別図柄１つ分のサイズ、図７の左・右図柄用の表示領域ＤＬ，ＤＲであれば、特別図柄３つ分のサイズ、中図柄用の表示領域ＤＣであれば、特別図柄６．５個分のサイズ（但し、特別図柄の倍率が０．８倍）ということになる。
【００６９】
配列・変化特定データ記憶手段としての制御ＲＯＭ１３４には図１０（ａ）に示すように、特別図柄の種類・配列（識別情報配列特定情報）と、特別図柄の画像変化・画像変化順（画像変化特定情報）を特定可能なデータテーブルＴ１が記憶されている。図９に示した画像ＲＯＭ１３７に記憶されているそれぞれの画像データのアドレスは、前記データテーブルＴ１から特定可能とされている。
テーブルＴ１における、特別図柄「０−１」等の表示は、画像ＲＯＭ１３７に記憶されている特別図柄「０」のアニメ変動（画像変化）の「１」番目を意味する。このテーブルに具体的に格納されているデータとしては、画像ＲＯＭ１３７に記憶されている対応する画像データのアドレスを直接記憶してもよく、或いは、そのアドレスを特定するインデックス情報などでも良い。
【００７０】
さらに制御ＲＯＭ１３４には、特別図柄の表示領域（図４（ａ）〜（ｃ）のＤＬ，ＤＲ，ＤＣ）の大きさ特定するデータとして図１０（ｂ）に示すように変動パターン（標準（図４（ａ））、１図柄（図４（ｂ））、横スクロール（図４（ｃ））等）に対応した表示領域サイズ、表示領域それぞれの表示位置、抽出する特別図柄の数、表示領域の基準位置、特別図柄の拡大率、回転位置が記憶されている。
【００７１】
また、制御ＲＯＭ１３４には、特別図柄の表示表示状態での変動速度を定義する変動速度データとして図１０（ｃ）のような１ドットあたりのスクロール時間を特定するデータ及び図１０（ｄ）に示すような変動方向を特定するデータが記憶されている。具体的には，特別図柄の変動開始から停止までのテーブルとして、図１０（ｅ）に示すように特別図柄の変動開始から停止までの時間に応じた変動速度と、変動方向とがそれぞれの変動パターン（通常変動、リーチ１変動、リーチ２変動、．．．）毎に記憶されている。変動方向の「↓」は下方向への縦スクロール、「↑」は上方向への縦スクロール、「→」は右方向への横スクロール、「←」は左方向への横スクロ−ルを意味する。
【００７２】
このような構成により、特別図柄の種類・配列（識別情報配列特定情報）と、特別図柄の画像変化・画像変化順（画像変化特定情報）を特定可能なデ−タテーブルＴ１から、変動速度方向指定手段（ＣＰＵ１３３、制御ＲＯＭ１３４）により特別図柄の変動速度と変動方向が特定され、指定された変動速度・方向と、表示領域特定手段（ＣＰＵ１３３、制御ＲＯＭ１３４）により特定された表示領域の大きさ（範囲）と、に基づいて、抽出する特別図柄の種類（０〜９）を特定する。画像デ一タ特定手段により表示領域内に表示する面像データを特定する。
表示制御手段（ＶＤＰ１３６）は該特定された画像データを画像ＲＯＭ１３７から読み出し，表示領域指定手段により指定された表示領域の大きさに基づいて表示する画像を生成し、画像表示装置４に出力する処理を実行する。
【００７３】
具体的には図１０（ｅ）の速度・変動方向テーブルＴ２を用いて、変動表示状態での画像処理動作を説明する。
まず、理解を容易にするため、特別図柄の配列と図柄の変動順とに基づいて各画像を図１１に示すようにマトリクス状に配置して考える。
まず、現在、画像表示装置４に表示している図柄が図１１の符号Ｅ１で示すように特別図柄の６〜８であるとする。このような場合を、表示領域（Ｅ１）の位置が特別図柄の６〜８を含む位置にあるとして考える。
この状態において、変動パターンとして、標準の（↓）の変動パターンが指定されているとする。
【００７４】
この状態では、特別図柄の変動表示は、図１１に示すように、大まかに、Ｅ１（６,７,８）、Ｅ２（５,６,７）、Ｅ３（４,５,６），...と順次変化する。
【００７５】
ただし、Ｅ１、Ｅ２、Ｅ３、...に段階的に変化するのではなく、表示はスムーズ（連続的）に変化する。以下、具体的な変動表示処理について説明する。
まず、図１０（ｂ）に示す表示領域サイズデータの第１行のエントリによれば、標準の（↓）の変動パターンにおいて、表示領域（Ｅ１）の大きさでは抽出すべき特別図柄の数（抽出図柄数）は４である。従って、抽出する特別図柄の種類は、「５〜８」となる。
次に、アニメ変動インデックスデータを読み出す（アニメ変動インデックスデータはＣＰＵ１３３の内蔵タイマ（計時手段）が３０ｍｓを計時するたびに１加算するインデックスデータであり「１〜５」の範囲で更新され、各特別図柄についてどの表示態様（模様）の画像を選択するかを指定する。
次に、表示対象の特別図柄の画像データの記憶位置のアドレスを図１０（ａ）のテーブルを参照して判別し、特別図柄の「５〜８」の画像データを画像ＲＯＭ１３７から読み出し、図１２（ａ）に示すように縦方向に並べてＶＲＡＭ１３８に展開する。
【００７６】
この例では、アニメ変動インデックスデータをある特別図柄が選択されてからの経過時間を指定するためのデータとしても使用し、まず、「１」とする。そして、アニメ変動インデックスデータ「１」に基づいて、表示領域は図１０（ｂ）に示す表示領域サイズデータに定義される基準位置（０，１５０）に位置する。なお、アニメ変動インデックスデータが１増加するに従って、ｘ値１５０が、表示領域のｘ座標の値に加算される。従って、この例では、アニメ変動インデックスデータが２であれば、位置は（１５０，１５０）となる。
【００７７】
図１０（ｂ）に示す表示領域の大きさは（１５０、４６０）であり、この領域のサイズで図１０（ａ）のインデックスデータ「１」で示すように、領域Ｅ１の範囲でクリッビングし、フレームバッフを介して画像表示装置４に出力する。
【００７８】
次に、インデックスデータを２に更新し、図１０（ｅ）の速度・変動方向テーブルＴ２から特別図柄の変動速度（変動開始からの経過時間によるが、１００ｍｓ、４０ｍｓ、２０ｍｓ，１００ｍｓ、４ｍｓのいずれかの値）と、カウンタのカウント値を順次読み出し、表示領域を、上方向へ移動し（図１２（ａ）のＥＸ１１〜ＥＸ１３）、１フレーム時間毎に表示領域でクリッピングした画像をフレームバッファを介して順次、画像表示装置４に出力する。データテーブルをさらに順次読み出して同様の処理を繰り返して、表示領域が１５０ドット上方向へ移動すると、図１１及び図１２（ｂ）のＥ２の表示位置となり、表示領域の座標が（０，０）に到達する。
【００７９】
すると、インデックスデータを１にリセットし、同様の処理により、特別図柄「４〜７」を図１２（ｂ）に示すように再度，展開するとともに、表示領域の位置を領域Ｅ２で示す基準位置である（０，１５０）に設定する。続いて、上記の処理を練り返し、表示領域を図１２（ｂ）に示すＥＸ２１〜ＥＸ２３を経てＥ３の状態に移る。
以後、同様の動作を繰り返す。
【００８０】
左・中・右の各特別図柄について、これらの動作を繰り返し、さらに、左・中・右の画像を合成する制御を、特別図柄のスクロール表示の画像制御として実行する。
【００８１】
横スクロールの時も同様な処理を実行する。ただし、相違点としてＶＲＡＭ１３８上に特別図柄を展開するときには、図１０（ｂ）に示す表示領域サイズデータの第５、第６エントリの内容に従って、図１３に例示するように、横方向に７個の特別図柄を回転させ、０．８倍に縮小させて展開する。そして、実際の表示範囲は、Ｆ１〜Ｆ５に示すように、横方向に順次シフトする。
なお、アニメ変動インデックスデータを特別図柄の組合せの変更からの経過時間を特定するためにも使用したが、別個にタイマを設けて測定してもよい。
【００８２】
それぞれの変動パターン（標準、１図柄，横スクロール）に応じて、どのようにＶＲＡＭ１３８に個々の画像データを展開するかを定義するデータが、予め制御ＲＯＭ１３４に格納されている。なお、主基板１１により指定された変動パターンがどの変動パターンであるかは、そのアドレスから特定可能であり、どの変動パターンであるかを特定するデータを図１０（ｂ）のデータテーブルにそれぞれ含めるように記憶してもよい。
【００８３】
このような特別図柄の変動パターンを指定するそれぞれのデータを制御ＲＯＭ１３４に上記のように格納して制御することにより、特別図柄の配列やアニメ変動（両像変化・画像変化順）を変動バタ一ンごとにすべて記憶する必要がなくなり、記憶容量（画像ＲＯＭ１３７またはＶＲＡＭ１３８）を低減することが可能となる。また、表示制御基板１２のＣＰＵ１３３は、常時指定された画像データを生成し表示領域の範囲でクリッビングするといった定型処理を実行することにより制御負担を軽減することができる。また、表示領域の大きさや、特別図柄の変動方向のデータのみを変えることにより、特別図柄の変動態様を制御負担を増加せずに増加し、縦スクロールから横スクロールといった多彩な特別図柄の変動態様を制御することが可能とし、さらに遊技者への遊技演出を向上させることができる。
【００８４】
制御ＲＯＭ１３４に格納される画像データの拡大・縮小率は選択された画像の拡大・縮小率であり、サイズ指定手段により指定するサイズである。画像データの透明率は下地の画像が透けて見える程度を示し、透過率指定手段により、指定する透過率である。画像データの拡大・縮小率及び透過率は、表示領域Ｄ内の位置毎に異なった値に設定することも可能である。表示制御手段は、サイズ指定手段より指定されたサイズ並びに透過率指定手段により指定された透過率に基づいた画像を生成する。
【００８５】
図８に示すＶＲＡＭ１３８は、ＶＤＰ１３６によって生成（合成）された画像データを展開するためのフレームバッファメモリである。
【００８６】
ＬＣＤ駆動回路１３９は、ＶＤＰ１３６から入力された画像データを、色信号と同期信号とからなるビデオ信号に変換し、変動表示装置４に出力する。
【００８７】
表示制御基板１２は、以上の構成により、遊技制御用マイコン１００から、最終停止図柄と選択された変動パターンを指定する情報等を含む変動開始コマンドを受信すると、指定された変動パターンに従って特別図柄を変動させ、左図柄、右図柄、中図柄の順で、指定された最終停止図柄で図柄の変動を停止して最終停止図柄を確定する。
【００８８】
図１４に図４（ａ）に示す変動パターンＫ用表示制御データの例を示す。
この例では、ｉ）特別図柄の変動の開始後、左・中・右の各特別図柄が縦方向に３つ並んだ状態で表示され、それが下方向に流れる（スクロールする）ように表示される。即ち、それぞれ表示領域のサイズが特別図柄３個（倍率１）分である。また、特別図柄の移動速度は、関数ｆｌ（ｔ）、ｆｒ（ｔ）、ｆｃ（ｔ）で定まり、その移動方向は下方向である。また、画像データの拡大・縮小率は１倍、透明度は０である。
続いて、ii）左図柄、右図柄と順次停止し、リーチ状態が成立する。
さらに、iii）  最後に中図柄が停止すると、大当り、ハズレが決定する。
なお、変動の開始から終了までの間、特別図柄の表示態様を順次変更するアニメーション表示は継続して行われる。
【００８９】
図１５に図４（ｂ）に示す変動パターＬ用表示制御データの例を示す。
この例では、ｉ）特別図柄の変動の開始後、左・右の各特別図柄が縦方向に３つ並んだ状態で表示され、それが下方向に流れる（スクロールする）ように表示される。即ち、それぞれ表示領域のサイズが特別図柄３個（倍率１）分である。また、特別図柄の移動速度は、ｆｌ（ｔ）とｆｒ（ｔ）で定まり、その移動方向は下方向である。また、画像データの拡大・縮小率は１倍、透明度は０である。一方、中図柄については、特別図柄が２つ重ねて表示され、それが下方向に流れる（スクロールする）ように表示される。このとき、特別図柄の移動速度はｆｃ（ｔ）で定まり、その移動方向は下方向である。ただし、特別図柄の変化は、図６に示したように、従前に表示されている特別図柄が徐々に透明度が増し、次に表示されるべき特別図柄が徐々に透明度が低下するというように時間の関数φ（ｔ）で表示される。また、画像データの拡大・縮小率は１倍である。
続いて、ii）左図柄と右図柄が順次停止し、リーチ状態が成立する。
さらに、iii）  最後に中図柄が停止すると、大当り、ハズレが決定する。
なお、変動の開始から終了までの間、特別図柄の表示態様を順次変更するアニメーション表示は継続して行われる。
【００９０】
図１６に図４（ｃ）に示す変動パターンＭ用表示制御データの例を示す。
この例では、ｉ）変動の開始後、左・中・右の各特別図柄が縦方向に３つ並んだ状態で表示され、それが下方向に流れる（スクロールする）ように表示される。即ち、それぞれ表示領域のサイズが特別図柄３個（倍率１）分である。また、特別図柄の移動速度は、関数ｆｌ（ｔ）、ｆｒ（ｔ）、ｆｃ（ｔ）で定まり、その移動方向は下方向である。また、画像データの拡大・縮小率は１倍、透明度は０である。
続いて、ii）左図柄と右図柄が順次停止し、リーチ状態が成立する。
続いて、iii）中図柄については、特別図柄が横方向に５つ並んだ状態で表示され、左方向に流れる（スクロールする）ように表示される。即ち、それぞれ表示領域のサイズが特別図柄８個（倍率１）分である。また、特別図柄の移動速度は、関数ｆｃ（ｔ）で定まり、その移動方向は左方向である。また、画像データの拡大・縮小率は１倍、透明度は０である。最後に中図柄が停止すると、大当り、ハズレが決定する。
なお、変動の開始から終了までの間、特別図柄の表示態様を順次変更するアニメーション表示は継続して行われる。
【００９１】
このような制御を行うことにより、例えば、表示領域が縦方向に特別図柄３つ分として、表示領域内の特別図柄の移動方向が↓方向とすれば、例えば、図１１に示すように、例えば、表示領域Ｅ１の（６７８）の画像→図１２（ａ）を参照して説明した変化過程の画像→エリアＥ２の（５６７）の画像→図１２（ｂ）を参照して説明した変化過程の画像→エリアＥ３の（４５６）の画像・・・エリアＥ４の（３４５）の画像、エリアＥ５の（２３４）の画像・・・というように、表示領域が徐々にシフトして、結果として、表示画面上で特別図柄がスクロールしている画像を表示することができる。さらに、特別図柄の更新は移動速度ｆに基づいて行われるが、アニメ表示用の模様の切り替えはＣＰＵ１３３の内蔵タイマが所定時間を計測する（クロック信号発生回路１３１からの所定数のクロックをカウントする）ごとに、ＣＰＵ１３３が構成する画像データ特定手段により更新される。そして、その表示画像は、フレーム周期の例えば３０ｍｓ周期で更新される。これにより、特別図柄が移動表示中も停止表示中も、その内部で模様（例えば、炎の揺らめき、水の流れ、雲の流れ）等が移り変わるアニメーション表示が可能となる。
【００９２】
次に、本実施例のパチンコ遊技機１の動作（作用）を説明する。まず、本実施例のパチンコ遊技機１における遊技の流れの概略について説明する。
【００９３】
パチンコ遊技機１の右下位置に設けられたハンドルを操作することにより、遊技領域中に遊技球が発射される。主基板１１の遊技制御用マイコン１００は、スイッチ回路１０７の出力から、遊技球が普通可変入賞球装置６に入賞したことを検出すると、乱数回路１０４により乱数値を発生し、得られた乱数値を図３（ｂ）に示す特図保留メモリ１２１の空きエントリの先頭に保留情報として記憶する。
【００９４】
遊技制御用マイコン１００は、特図保留メモリ１２１の第１エントリに記憶されている保留情報を読み出して、読み出した保留情報に対応する特図ゲームを実行する。即ち、特図保留メモリ１２１の第１エントリに設定されている乱数値から、大当りとするかハズレとするかを決定する。さらに、大当りとするかハズレとするかの別に応じて、特別図柄の表示結果（最終停止図柄）の組み合わせを決定する。
【００９５】
遊技制御用マイコン１００は、変動パターン判定テーブル１１４に格納されている複数の変動パターンのうちから状況に応じたものを選択し、その制御コードを取得する。遊技制御用マイコン１００は表示制御基板１２へ、特図ゲームを開始することと最終停止図柄と変動パターンとを指定する制御コードとを指示する変動開始コマンドを送信する。遊技制御用マイコン１００は変動開始コマンド送信後の経過時間を計測し、総変動時間が経過すると、表示確定コマンドを送信する。
【００９６】
表示制御基板１２は、遊技制御用マイコン１００から供給される変動開始コマンドに応じて、表示制御データを読み出し、この表示制御データに従って、画像データを読み出して、変動表示装置４に表示することにより、特別図柄の変動（可変）表示を制御して表示結果を導出する（変動制御手段）。
【００９７】
表示制御基板１２は、遊技制御用マイコン１００より確定コマンドを受信すると、最終的な図柄を確定する。最終停止図柄が、大当り図柄（３つの特別図柄の図柄が揃った状態）であれば、パチンコ遊技機１は大当り状態（特定遊技状態）となり、特別可変入賞球装置７の開閉板が一定時間又は一定数の遊技球が入賞するまで開成し、Ｖ入賞を条件に開閉を一定サイクル繰り返す。一方、最終停止図柄が、ハズレ図柄であれば、特別可変入賞球装置７の開閉板の開成等は行わない。
【００９８】
遊技者は、このようにして特図ゲームを行って特別可変入賞球装置７に遊技球を入賞させ、払出制御部により払い出される賞球を獲得する。
【００９９】
以下、遊技制御用マイコン１００が実行する特図ゲームの処理（変動制御手段）を図１７〜図２２を参照して説明する。
【０１００】
遊技制御用マイコン１００は、例えば、２ｍ秒毎のタイマ割り込み等で、図１７のフローチャートに示す特別図柄プロセス処理を開始する。
【０１０１】
遊技制御用マイコン１００は、まず、遊技球が普通可変入賞球装置６に入賞したか否かを、入賞玉検出器の出力をチェックすることにより検出する（ステップＳ１１１）。遊技球が入賞した場合（ステップＳ１１１；Ｙｅｓ）、入賞処理を実行し（ステップＳ１１２）、遊技球が入賞していない場合（ステップＳ１１１；Ｎｏ）、入賞処理（ステップＳ１１２）をスキップする。
【０１０２】
ステップＳ１１２の入賞処理においては、図１８に示すように、特図保留メモリ１２１の保留数が上限値の４以上であるか否かを判別する（ステップＳ２０１）。保留数が４以上であれば（ステップＳ２０１；Ｙｅｓ）、今回の入賞による特図ゲームの始動は無効として特に何も行わず、一方、保留数が上限値の４未満である場合には（ステップＳ２０１；Ｎｏ）、乱数回路１０４を起動して乱数値を抽出する（ステップＳ２０２）。次に、抽出した乱数値を特図保留メモリ１２１の空エントリの先頭にセットする（ステップＳ２０３）。
【０１０３】
次に、遊技制御用マイコン１００は、特図処理選択フラグ１２２の値に基づいて、図１７に示すステップＳ１００〜１０７の８つの処理のうちのいずれかを選択する。
【０１０４】
ステップＳ１００の特別図柄通常処理は、特図処理選択フラグ１２２が初期値「０」のときに実行される処理である。この処理において、遊技制御用マイコン１００は、特図保留メモリ１２１に保留情報が格納されているか否かを判別し、格納されているときに、第２〜第４エントリの各保留情報を１エントリずつ上位にシフトし、新たに第１エントリに格納された乱数値を読み出し、特図処理選択フラグ１２２の値を「１」に更新する。
【０１０５】
ステップＳ１０１の特別図柄停止図柄設定処理は、特図処理選択フラグ１２２の値が「１」の場合に実行され、特図ゲームの表示結果を事前決定する処理である。この処理において、遊技制御用マイコン１００は、特図保留メモリ１２１の第１エントリに保持されている乱数値を用いて、表示結果を決定（事前決定）する。具体的には、図１９に示すように、その時点での遊技状態（確変フラグ１２３，時短フラグ１２４の内容で特定される確変状態、時短状態等）に応じた大当り判定テーブル１１２を選択し（図１９；ステップＳ３０１）、ステップＳ１００で特図保留メモリ１２１の第１エントリから読み出した乱数値を選択した抽選テーブルに適用して、大当りか否かを事前（特図ゲームが開始する前に）判定する（ステップＳ３０２）。
【０１０６】
大当りの場合には（ステップＳ３０３；Ｙｅｓ）、さらに、乱数回路１０４を起動して乱数値を抽出して、大当りの表示結果（最終停止図柄の組み合わせ）を決定する（ステップＳ３０４）。一方、ハズレの場合には（ステップＳ３０３；Ｎｏ）、各図柄について乱数値を抽出する等して、各図柄の表示結果を決定する（ステップＳ３０５）。その後、特図処理選択フラグ１２２の値を「２」に更新する（ステップＳ３０６）。
【０１０７】
ステップＳ１０２の変動パターン設定処理は、特図処理選択フラグ１２２が「２」の場合に実行される処理である。この処理において、遊技制御用マイコン１００は、特図ゲームを行う際に使用する変動パターンを、変動パターン判定テーブル１１４に格納されている変動パターンのうちから選択する。
【０１０８】
この変動パターン設定処理において、図２０に示すように、遊技制御用マイコン１００は、確変フラグ１２３又は時短フラグ１２４が設定されているか否か、即ち、特図ゲームにおける変動時間を通常よりも短くする時短制御処理が有効状態にされているか否かを判別する（ステップＳ４０１）。確変フラグ１２３又は時短フラグ１２４がオン（ステップＳ４０１；Ｙｅｓ）の場合には、時短用の変動パターンで、且つ、ステップＳ１０１で設定した当りかハズレを導出可能なもののうちから１つを、例えば乱数を発生させる等して選択する（ステップＳ４０２）。
【０１０９】
一方、確変フラグ１２３と時短フラグ１２４とが共にオフの状態にあるときには（ステップＳ４０１；Ｎｏ）、通常の変動パターンのうちで、且つ、ステップＳ１０１で設定した最終停止図柄を導出可能なもののうちか１つを、例えば乱数を発生させる等して選択する（ステップＳ４０３）。
【０１１０】
続いて、特図変動時間タイマ１２６に、選択した変動パターンに割り当てられている総変動時間に相当するカウント値を設定する（ステップＳ４０４）。
【０１１１】
続いて、特図ゲームの開始と最終停止図柄と変動パターンとを指定する制御コードとを指示する変動開始コマンドとを、表示制御基板１２に送信する（ステップＳ４０５）。続いて、特図処理選択フラグ１２２の値を「３」に更新する（ステップＳ４０６）。
【０１１２】
ステップＳ４０５で送信した変動開始コマンドは、表示制御基板１２に受信される。表示制御基板１２は、変動開始コマンドに含まれている情報から、変動表示に使用する表示制御データを特定し、この表示制御データが規定するタイムスケジュールに沿って、変動表示装置４に特別図柄が変動してから停止するまでの画像を表示する処理を行う。
【０１１３】
このように、変動制御手段は、特別図柄の変動開始条件の成立（始動入賞）から表示結果を導出表示する変動制御手段を含み、以下、変動制御手段（変動表示処理）を図２１を参照して説明する。
【０１１４】
表示制御基板１２のＣＰＵ１３３は、変動開始コマンドに応答して、制御ＲＯＭ１３４に格納されている表示制御データのうちから、受信した変動開始コマンドが指定する変動パターンに対応するものを読み出す。この制御データは、概念的には図１４〜図１６に示すように左・中・右の各特別図柄の表示を制御するデータであり、具体的には、図１０を参照して説明した各種データを含む。そして、変動時間タイマをリセットして、変動開始からの経過時間を開始する。また、アニメション表示用のアニメ変動インデックス（左、中、右図柄用）をそれぞれリセットする（但し、その時点での値をそのまま引き継いでもよい）。また、アニメ画像切り替え用のタイマをリセットする。
【０１１５】
ＣＰＵ１３３は、発振回路１３１の基準クロックをカウントして、一定期間を計測する度に、図２１に示す描画指示成処理を実行する。
【０１１６】
まず、ＣＰＵ１３３は、その時点でＶＲＡＭ１３８上に展開すべきデータを特定する。
まず、ＣＰＵ１３３は、アニメ変動インデックスを更新する（ステップＳ５０１）。即ち、前回のアニメ変動インデックスの更新から所定時間が経過したか否かを判別し、所定時間が経過していれば、アニメ変動インデックスが更新される。これにより、所定時間が経過する度に、特別図柄の絵柄が切り替えられ、パラパラ動画のようなアニメーション表示が可能となる。なお、所定時間は、描画指示処理の実行間隔でも、それより大きくてもよい。所定期間が短ければ、アニメーションの動きが速く、長ければアニメーションの動きが遅くなる。なお、図２１（ａ）では、所定時間＝描画指示処理の実行間隔である。
【０１１７】
次に、主基板１１から通知された変動パターンの情報に基づいて、その変動パターン用の速度変動方向テーブルＴ２を参照し、変動開始コマンド受信後の経過時間を読み出して、その時点での変動方向を判別する。続いて、図１０（ｂ）に示す表示領域サイズデータを参照して、変動方向に対する抽出図柄数を求める（ステップＳ５０２）。
【０１１８】
次に、抽出図柄数と現在の変動表示の状態から、抽出する特別図柄（０〜９）を特定する（ステップＳ５０３）。図１０（ｅ）と（ｂ）の例では、「４」つの特別図柄を特定する。
【０１１９】
次に、特定された特別図柄（０〜９）を、対応する拡大率、回転角度で、予め指定されている配列（縦並びや予横並び）で仮想的に配置する（ステップＳ５０４）。なお、この段階で、画像データを実際に配列する必要はない。
【０１２０】
次に、仮想的に配置した画像上の表示領域の位置を、直前の位置、移動速度、移動方向から特定する（ステップＳ５０５）。
【０１２１】
次に、仮想的に配置した画像上の表示領域内部の位置（表示する範囲）を、表示領域の位置とサイズとに基づいて特定する（ステップＳ５０６）。
【０１２２】
次に、仮想的に配置した画像上の表示領域内部の位置（表示する範囲）を、表示領域の位置とサイズとに基づいて特定する（ステップＳ５０６）。
【０１２３】
また、ステップＳ５０３で特定した特別図柄とアニメ変動インデックスデータから、表示対象の図柄の格納されているアドレスを、図１０（ａ）のテーブルを参照して求める（ステップＳ５０７）。
【０１２４】
次に、展開すべき画像データのアドレス、配置、拡大率・縮小率、回転角度、透過率（予め設定されている）、クリッピング範囲などを特定する、即ち、表示対象画像を特定する描画コマンド又は／及びアトリビュートデータを生成し、ＶＤＰ１３６に送信する。
【０１２５】
ＶＤＰ１３６は、図２１（ｂ）に示すように、指示された描画コマンド又はアトリビュートで特定される画像の画像データ（指定されたアドレスに格納されている画像データ）を画像映像ＲＯＭ１３７に格納されている画像データの中から抽出する（ステップＳ５１１）。
【０１２６】
さらに、読み出した画像データを拡大・縮小・回転・透過処理を行って配置し直して、ワークメモリ上に展開する（ステップＳ５１２）。
【０１２７】
次に、配置した画像データから、通知されたクリッピング範囲でクリッピングして、ＶＲＡＭ１３８に格納する（ステップＳ５１３）。
【０１２８】
ＣＰＵ１３３とＶＤＰ１３６とは、上述の処理を、左図柄、中図柄、右図柄のそれぞれについて実行し、最終的に１画面分の画像を合成する。
【０１２９】
一方で、ＶＤＰ１３６は、図２１（ｃ）に示すように、ＶＲＡＭ１３８上の画像データ（例えば、ＲＧＢ輝度データ）を所定の周期的タイミング（例えば、３０ｍｓ）で読み出し、ＬＣＤ駆動回路１３９に供給する。ＬＣＤ駆動回路１３９は、供給された画像データに従って、ＬＣＤ駆動信号等の制御信号を生成し、これを変動表示装置４に供給することにより、変動表示装置４の画面に特別図柄や背景を表示させる。
【０１３０】
このような動作を繰り返すことにより、例えば、特図ゲームが開始してから、図４〜図７を参照して説明したような、遊技機１による遊技の状況（特図ゲームの状況等）に応じた表示が行われる。
【０１３１】
そして、例えば、図１０（ａ）に示すような図柄配列とアニメーション表示配列とで指定可能な各表示画像を備えるだけで、表示領域のサイズに応じた特別図柄の変動及び静止表示と、各特別図柄のアニメーション表示とを同時に行うことができる。
【０１３２】
表示制御基板１２が、変動表示とアニメーション表示処理を行っている間、遊技制御用マイコン１００は、図１７のステップＳ１０３の特別図柄変動処理を繰り返して実行する。なお、この処理は、特図処理選択フラグ１２２の値が「３」の場合に実行される処理である。この処理では、図２２に示すように、遊技制御用マイコン１００は、特図変動時間タイマ１２６のカウント値を１だけ減算する（ステップＳ６０１）。続いて、特図変動時間タイマ１２６の値が０であるか否か、すなわち、特別図柄を設定された変動時間だけ変動させたか否かが判別される（ステップＳ６０２）。
【０１３３】
特図変動時間タイマ１２６＝０と判別された場合（ステップＳ６０２；Ｙｅｓ）には、１回の特図ゲームが丁度終了したタイミングであり、遊技制御用マイコン１００は、特図処理選択フラグ１２２を「４」とする（ステップＳ６０３）。
【０１３４】
一方、ステップＳ６０２で特図変動時間タイマ１２６＝０ではないと判断されたとき（ステップＳ６０２；Ｎｏ）には、今回の割り込み処理を終了する。
【０１３５】
図１７のステップＳ１０４の特別図柄停止設定処理は、特図処理選択フラグ１２２の値が「４」の場合に実行される処理である。この処理において、遊技制御用マイコン１００は、表示制御基板１２に、確定コマンドを送信する。また、特図ゲームの終了に同期して、動作する必要のある各部に特図ゲームの終了を通知する。さらに、遊技制御用マイコン１００は、最終停止図柄が当りに相当する場合には、大当りフラグ１２５を設定し、特図処理選択フラグ１２２を「５」に更新し、ハズレに相当する場合には、特図処理選択フラグ１２２を「０」に更新する。
【０１３６】
表示制御基板１２のＣＰＵ１３３は、ステップＳ１０４の特別図柄停止設定処理において送出された確定コマンドを受信すると、特別図柄の確定表示（特別図柄の変動を停止する表示）を実行する。このとき、特別図柄の模様が変化するように、アニメーション処理を継続してもよい。
【０１３７】
図１７のステップＳ１０５の大入賞口開放前処理は、特図処理選択フラグ１２２の値が「５」の場合に実行される処理である。この処理において、遊技制御用マイコン１００は、大入賞口７を開放する前の演出を行うための処理、例えば、第１回目の開放前や開放処理間のインターバル演出等の処理を行う。大入賞口７を開放するタイミングになると、特図処理選択フラグ１２２の値を「６」に更新する。
【０１３８】
ステップＳ１０６の大入賞口開放中処理は、特図処理選択フラグ１２２の値が「６」の場合に実行される処理である。この処理では、遊技制御用マイコン１００は、開放された大入賞口７への遊技球の入賞処理、開放時間の計測処理、表示制御基板１２を介した表示制御等を行う。遊技制御用マイコン１００は、入賞球数が所定数に達するか開放時間が所定時間に達すると、特図処理選択フラグ１２２の値を更新する。遊技制御用マイコン１００は、１回の大当りについて、大入賞口７の開放回数をカウントしており、特図処理選択フラグ１２２を更新する際に、開放回数が１６回に達していれば、大当り状態を終了する条件が成立したとして特図処理選択フラグ１２２の値を「７」とし、開放回数が１６回に達していなければ、大入賞口７を一旦閉成した後、特定領域への遊技球の通過があったか否か（Ｖ入賞の有無）を判別し、通過があったなら、特図処理選択フラグ１２２を「５」に、無しなら「７」とする。これにより、大当り状態にあっては、大入賞口７の開閉が最大１６回繰り返されることになる。
【０１３９】
図１７のステップＳ１０７の大当り終了処理は、特図処理選択フラグ１２２の値が「７」の場合に実行される処理であり、遊技制御用マイコン１００は、大当り状態を終了させる処理を行い、特図処理選択フラグ１２２の値を「０」とする。
【０１４０】
なお、遊技制御用マイコン１００はスイッチ回路１０７から入力されるスイッチ信号及びハンドル操作信号などの有無を判別しており、このパチンコ遊技機１が遊技状態に無い時には、表示制御基板１２にデモ画面表示コマンドを送信して変動表示部４にデモンストレーション画像を表示させる。
【０１４１】
以上説明したように、この実施の形態によれば、様々な場面で、スプライト画像と動画とが連続する表示して映像（画像）を表示する場合に、画像の切り替わりのときの表示がスムーズで観察者に違和感を与えることが少ない。
【０１４２】
なお、この発明は上記実施の形態に限定されず、種々の変形及び応用が可能である。
【０１４３】
例えば、通常の変動表示と演出変動表示時で、各特別図柄の柄（模様）を変更して、異なったアニメーション表示を可能としてもよい。
例えば、通常の変動表示用には、図９や図１１に示した画像データ（第１の識別情報画像データ）を、演出変動表示用には、図２３に示すようなアニメーション表示用の画像データ（第２の識別情報画像データ）をそれぞれ画像ＲＯＭ１３７に記憶しておき、リーチ状態が成立した後のリーチ演出時、最終停止図柄を大当り図柄で停止させた時の大当り演出表示、大当りになることやリーチになることを予告するための予告演出（大当り予告、リーチ予告）などの一定の演出の条件が成立したことを契機として、画像データ特定手段により特定する対象を切り替えて、演出用の画像データを用いた表示を行ってもよい。他の識別情報の画像（０〜６，９）においても、通常変動表示用と演出表示用とが画像ＲＯＭ１３４に格納される。
【０１４４】
また、上記説明において、表示領域内の特別図柄のサイズを１倍の場合を中心に説明したが、倍率は任意である。なお、特別図柄を拡大した結果、表示領域の外にはみ出す部分については、クリッピングにより除去される。また、演出に応じて、適宜、２倍、３倍、１／２倍...に特別図柄のサイズを指定するようにしてもよい。
【０１４５】
また、制御ＲＯＭ１３４に、変動パターン別に表示領域のサイズ、移動速度・移動方向等を特定するデータとを格納しておき、描画処理を行うたびに、ＣＰＵ１３３が表示対象の画像データを特定して、クリッピングして表示対象画像を用意したが、変動パターン毎に経過時間毎に表示対象特別図柄（これは変動開始時の初期状態により異なる）とアニメ変動インデックス、クリッピング範囲を特定するデータを予め用意しておき、これらに基づいて、表示対象画像を生成するようにしてもよい。
【０１４６】
上記実施の形態においては、ＣＰＵ１３３が、表示制御データを処理し、ＶＤＰ１３６にコマンドを出力したが、例えば、ＶＤＰ１３６が表示制御データを内部ＲＯＭなどに記憶しておき、ＣＰＵ１３３は演出表示を特定するだけで、演出画像の再生・透明度の設定、合成などの処理までをＶＤＰ１３６が実行するようにしてもよい。
【０１４７】
上記実施の形態において示した数値は一例であり、任意に変更可能である。例えば、上述の例では、特図保留メモリ１２１の保留数の上限値を４としたが、保留数の上限値は任意である。また、特図ゲームにおいて変動中の図柄を停止する順番も任意である。
【０１４８】
特図ゲームの実行条件を成立させる方法も上記実施の形態に限定されない。例えば、特定の入賞口への遊技球の入賞を普通図ゲームの実行条件としたり、特定のゲートの遊技球の通過や特定の非可変型の入賞口への遊技球の入賞を特図ゲームの実行条件としてもよい。
【０１４９】
なお、図１に示した装置構成、図２及び図３及び図８に示すブロック構成や、図４〜図７に示した変動パターン、図１７〜図２２に示すフローチャートは、例示であり、任意に変更及び修正が可能である。
【０１５０】
また、上述した実施の形態では、パチンコ遊技機を用いてこの発明を説明したが、パチンコ遊技機に限られず、可変表示装置と画像表示装置とを別個に備えたスロット機、家庭用ゲーム機、アーケード用ゲーム機、携帯ゲーム機、パソコンによるゲーム等の他の遊技機においても、本発明を適用することができる。
【０１５１】
例えば、図２４に示すように、特別図柄の変動表示を行う表示装置１００１とその他の演出用の表示を行う表示装置１００２とを備えるスロットマシン１０００などにおいては、いずれの表示装置に本願発明にかかるスプライト画像と動画との表示を実行させるようにしてもよい。
【０１５２】
さらに、パチンコ遊技機１やスロットマシンの動作をシミュレーションするゲーム機などにも本発明を適用することができる。また、特別図柄（識別情報）の変動開始条件が成立する契機としては、例えば、スロットマシンにおけるスロットレバーの押下、２種や３種のパチンコ遊技機における図柄変動の開始条件の成立などを広く含むものである。また、本発明を実現するためのプログラム及びデータは、コンピュータ装置等に対して、着脱自在の記録媒体により配布・提供される形態に限定されるものではなく、予めコンピュータ装置等の有する記憶装置にプリインストールしておくことで配布される形態を採っても構わない。さらに、本発明を実現するためのプログラム及びデータは、通信処理部を設けておくことにより、通信回線等を介して接続されたネットワーク上の、他の機器からダウンロードすることによって配布する形態を採っても構わない。
【０１５３】
そして、ゲームの実行形態も、着脱自在の記録媒体を装着することにより実行するものだけではなく、通信回線等を介してダウンロードしたプログラム及びデータを、内部メモリ等にいったん格納することにより実行可能とする形態、通信回線等を介して接続されたネットワーク上における、他の機器側のハードウェア資源を用いて直接実行する形態としてもよい。さらには、他のコンピュータ装置等とネットワークを介してデータの交換を行うことによりゲームを実行するような形態とすることもできる。
【図面の簡単な説明】
【０１５４】
【図１】本発明の実施の形態におけるパチンコ遊技機の正面図である。
【図２】システム構成例を示すブロック図である。
【図３】遊技制御用マイクロコンピュータのメモリ構成を示す図である。
【図４】（ａ）〜（ｃ）は、それぞれ、特図ゲームにおける変動パターンの例を示す図である。
【図５】特別図柄のアニメ変動の例を示す図である。
【図６】特別図柄の変動の例を示す図である。
【図７】特別図柄の横スクロールの例と、位置による各特別図柄の透明度とを説明するための図である。
【図８】表示制御基板の構成例を示す図である。
【図９】画像ＲＯＭに格納される表示画像の例を示す図である。
【図１０】制御ＲＯＭに格納される表示制御データの例を示す図である。
【図１１】縦スクロールの場合に、図９に示す表示画像から実際に表示対象となった画像を切り出す処理を説明するための図である。
【図１２】縦スクロールの場合に、図９に示す表示画像から実際に表示対象となった画像を切り出す処理を説明するための図である。
【図１３】横スクロールの場合に、図９に示す表示画像から実際に表示対象となった画像を切り出す処理を説明するための図である。
【図１４】制御ＲＯＭに格納される表示制御データの例を示す図である。
【図１５】制御ＲＯＭに格納される表示制御データの例を示す図である。
【図１６】制御ＲＯＭに格納される表示制御データの例を示す図である。
【図１７】遊技制御用マイコンによる特図ゲームの制御を中心とする処理例を示すフローチャートである。
【図１８】図１７における入賞処理の詳細を示すフローチャートである。
【図１９】図１７における特別図柄停止図柄設定処理の詳細を示すフローチャートである。
【図２０】図１７における変動パターン設定処理の詳細を示すフローチャートである。
【図２１】表示制御基板が実行する処理を説明するためのフローチャートである。
【図２２】図１７における特別図柄変動処理の詳細を示すフローチャートである。
【図２３】画像ＲＯＭに格納される表示画像の他の例を示す図である。
【図２４】スロットマシンの正面図である。
【符号の説明】
【０１５５】
１  …  パチンコ遊技機（遊技機）
２  …  遊技盤（ゲージ盤）
３  …  遊技機用枠（台枠）
４  …  変動表示装置
６  …  普通可変入賞球装置
７  …  特別可変入賞球装置
８Ｌ、８Ｒ  …  スピーカ
９  …  ランプ
【図１】
2005143915.tif 000003
【図２】
2005143915.tif 000004
【図３】
2005143915.tif 000005
【図４】
2005143915.tif 000006
【図５】
2005143915.tif 000007
【図６】
2005143915.tif 000008
【図７】
2005143915.tif 000009
【図８】
2005143915.tif 000010
【図９】
2005143915.tif 000011
【図１０】
2005143915.tif 000012
【図１１】
2005143915.tif 000013
【図１２】
2005143915.tif 000014
【図１３】
2005143915.tif 000015
【図１４】
2005143915.tif 000016
【図１５】
2005143915.tif 000017
【図１６】
2005143915.tif 000018
【図１７】
2005143915.tif 000019
【図１８】
2005143915.tif 000020
【図１９】
2005143915.tif 000021
【図２０】
2005143915.tif 000022
【図２１】
2005143915.tif 000023
【図２２】
2005143915.tif 000024
【図２３】
2005143915.tif 000025
【図２４】
2005143915.tif 000026